(57)【要約】【課題】排水異常の原因を容易に特定し、取り除くことで、使い勝手を向上させる。【解決手段】排水経路の途中に設けられた着脱可能なリント回収手段９が、排水される洗濯水からリントを回収する。制御手段１３は、排水に要した時間と排水の回数から最適なしきい値を算出し、リント詰まりによる排水異常を検出し、入力設定・表示手段１４を介してリント回収手段９の掃除を促す報知を行う。【選択図】図１
2009273544.tif 000002
【特許請求の範囲】
【請求項１】
洗濯物を洗浄する回転ドラムと、前記回転ドラムを回転自在に内包する水受け槽と、前記回転ドラムを回転駆動するモータと、前記水受け槽内に水道水を給水する給水手段と、前記水受け槽内の水位を検知する水位検知手段と、前記水受け槽の底部からの排水経路の途中に設けられた着脱可能なリント回収手段と、前記水受け槽内の洗濯水の排水をする排水手段と、洗濯、すすぎ、脱水等の一連の行程内容を設定する入力設定・表示手段と、前記入力設定・表示手段により設定された行程の内容をもとに前記モータ、前記給水手段、前記水位検知手段および前記排水手段等を制御し洗濯運転を行う制御手段とを備え、前記制御手段は、各水量ごとの排水に要した時間や、排水の回数等を記憶する記憶手段を有し、記憶した情報から、水量に合わせた排水時間のしきい値を算出し、前記しきい値時間を越えた排水時間の回数が一定回数以上続いた場合、前記リント回収手段にリントが溜まっていることによる排水異常と判断し、リント回収手段の掃除を促す報知を行う洗濯機。
【請求項２】
各水量ごとの排水時間のしきい値は、洗濯機を設置直後から所定回数運転した間の実測値から算出する請求項１記載の洗濯機。
【発明の詳細な説明】
【技術分野】
【０００１】
本発明は、リント詰まりを確実に検知する洗濯機に関するものである。
【背景技術】
【０００２】
従来この種の洗濯機は、図３に示すような構成をしていた（例えば、特許文献１参照）。
【０００３】
図３に示すように、１は電気洗濯機の外枠で、内部機構の周囲を内包する電気洗濯機の枠体である。２は、電気洗濯機の外枠１の内部に設けた洗濯兼脱水槽である。洗濯兼脱水槽２は、上部の縁部に流体バランサー３を備えている。洗濯兼脱水槽２の底部の内側には、回転自在に撹拌翼４を備える。５は外槽であり、その内部に前記洗濯槽兼脱水槽２を回転自在に備える。外槽５は、その底部の外側に駆動電動機を備えた電動駆動装置６を鋼板製の取り付けベース７を介して取り付け、外枠１の上端四隅から防振支持装置８によって懸垂支持される。外槽５の底部に形成した排水口５ａは、排水電磁弁２３を介して排水ホース２４に接続されている。また、外槽５の下方にはエアートラップ５ｂが設けられ、このエアートラップ５ｂはエアーチューブ２５を介して前記水位センサー１６に接続されている。水位センサー１６は、空気圧により水位を検出し、水位を表わす水位信号を制御装置１７に入力する。
【０００４】
上記構成より、ある区間の排水時間（△ｔ）に対する水位の変化量（△ｐ）を検知し、設定したしきい値を下回る場合、排水異常と判定するようにしている。
【特許文献１】特開２００３−７１１８５号公報
【発明の開示】
【発明が解決しようとする課題】
【０００５】
しかしながら、前記従来の構成では、設定しているしきい値は一律の絶対値であるため、排水時間（△ｔ）や水位の変化量（△ｐ）を検知する際に、ノイズなどの影響により、値が変化してしまった場合、誤検知する可能性があるという課題を有していた。
【０００６】
また、排水異常を判定したとしても、何が原因で排水異常となっているのか。どこに排水異常の原因があるのか。洗濯機が設置されている設置環境によるものなのか。洗濯機内の排水経路にリントが詰まっているのか、あるいは排水ホース内にリントが詰まっているのか、消費者にはわかりにくく、対応しきれない可能性があるという課題を有していた。
【０００７】
本発明は上記従来の課題を解決するもので、各水量ごとの排水に要した時間や、排水の回数等を記憶し、記憶した情報から、水量に合わせた排水時間のしきい値を算出し、算出したしきい値時間を越えた排水時間の回数が一定回数以上続いた場合、リント回収手段にリントが溜まっていることによる排水異常と判断し、リント回収手段の掃除を促す報知を行うことで、誤検知の可能性を低減し、排水異常の原因を容易に特定でき、且つ、リント回収手段を掃除することで容易に排水異常の原因を取り除くことができ、検知精度と使い勝手を向上させることができる洗濯機を提供することを目的としている。
【課題を解決するための手段】
【０００８】
前記従来の課題を解決するために、本発明の洗濯機は、洗濯物を洗浄する回転ドラムと、前記回転ドラムを回転自在に内包する水受け槽と、前記回転ドラムを回転駆動するモータと、前記水受け槽内に水道水を給水する給水手段と、前記水受け槽内の水位を検知する水位検知手段と、前記水受け槽の底部からの排水経路の途中に設けられた着脱可能なリン
ト回収手段と、前記水受け槽内の洗濯水の排水をする排水手段と、洗濯、すすぎ、脱水等の一連の行程内容を設定する入力設定・表示手段と、前記入力設定・表示手段により設定された行程の内容をもとに前記モータ、前記給水手段、前記水位検知手段および前記排水手段等を制御し洗濯運転を行う制御手段とを備え、前記制御手段は、各水量ごとの排水に要した時間や、排水の回数等を記憶する記憶手段を有し、記憶した情報から、水量に合わせた排水時間のしきい値を算出し、前記しきい値時間を越えた排水時間の回数が一定回数以上続いた場合、前記リント回収手段にリントが溜まっていることによる排水異常と判断し、リント回収手段の掃除を促す報知を行うようにしている。
【０００９】
水量にあわせた排水時間のしきい値とこのしきい値を越えた排水時間の回数とを判断要素とすることで誤検知の可能性を低減するとともに、原因が容易に特定でき、且つ、リント回収手段を掃除することで容易に排水異常の原因を取り除くことができ、検知精度と使い勝手を向上させることができる。
【発明の効果】
【００１０】
本発明の洗濯機は、排水経路の途中に着脱可能なリント回収手段を設け、各水量ごとの排水に要した時間や、排水の回数等を記憶し、記憶した情報から、水量に合わせた排水時間のしきい値を算出し、しきい値時間を越えた排水時間の回数が一定回数以上続いた場合、前記リント回収手段にリントが溜まっていることによる排水異常と判断し、リント回収手段の掃除を促す報知を行うことで、誤検知の可能性を低減し、排水異常の原因を容易に特定でき、且つ、リント回収手段を掃除することで容易に排水異常の原因を取り除くことができ、検知精度と使い勝手を向上させることができる。
【発明を実施するための最良の形態】
【００１１】
第１の発明は、洗濯物を洗浄する回転ドラムと、前記回転ドラムを回転自在に内包する水受け槽と、前記回転ドラムを回転駆動するモータと、前記水受け槽内に水道水を給水する給水手段と、前記水受け槽内の水位を検知する水位検知手段と、前記水受け槽の底部からの排水経路の途中に設けられた着脱可能なリント回収手段と、前記水受け槽内の洗濯水の排水をする排水手段と、洗濯、すすぎ、脱水等の一連の行程内容を設定する入力設定・表示手段と、前記入力設定・表示手段により設定された行程の内容をもとに前記モータ、前記給水手段、前記水位検知手段および前記排水手段等を制御し洗濯運転を行う制御手段とを備え、前記制御手段は、各水量ごとの排水に要した時間や、排水の回数等を記憶する記憶手段を有し、記憶した情報から、水量に合わせた排水時間のしきい値を算出し、前記しきい値時間を越えた排水時間の回数が一定回数以上続いた場合、前記リント回収手段にリントが溜まっていることによる排水異常と判断し、リント回収手段の掃除を促す報知を行うことで、誤検知の可能性を低減し、排水異常の原因を容易に特定でき、且つ、リント回収手段を掃除することで容易に排水異常の原因を取り除くことができ、検知精度と使い勝手を向上させることができる。
【００１２】
第２の発明は、第１の発明に加え、各水量ごとの排水時間のしきい値は、洗濯機を設置直後から所定回数運転した間の実測値から算出することとしたため、洗濯機の設置環境等の様々な要因を排除し、リント詰まりのみが原因であることを容易に特定することができ、対処をすばやく的確に行うことができる。
【００１３】
以下、本発明の実施の形態について、図面を参照しながら説明する。なおこの実施の形態によって本発明が限定されるものではない。
【００１４】
（実施の形態１）
図１に示すように、回転ドラム１は、水受け槽２内に回転自在に配設されており、回転ドラム１の回転中心に略傾斜方向に回転軸（回転中心軸）３を設け、回転ドラム１の軸心
方向を正面側から背面側に向けて下向きに傾斜させて配設している。この回転軸３に、水受け槽２の背面に取り付けたモータ４を連結し、回転ドラム１を正転、逆転方向に回転駆動する。
【００１５】
水受け槽２の正面側の上向き傾斜面に設けた開口部を蓋体５により開閉自在に覆い、この蓋体５を開くことにより回転ドラム１内に洗濯物を出し入れできるようにしている。蓋体５を上向き傾斜面に設けているため、洗濯物を出し入れする際、腰を屈めることなく行なうことができる。
【００１６】
水受け槽２は洗濯機本体６よりばね体７とダンパー８により揺動可能に吊り下げて防振支持しており、水受け槽２底部からの排水経路の途中に着脱可能なリント回収手段９と排水手段１０を配設して水受け槽２内の洗濯水を排水するようにしている。
【００１７】
給水手段１１は、水受け槽２内に水道水を給水するものである。水位検知手段１２は水受け槽２内の水位を検知するものである。
【００１８】
なお、本実施の形態では、回転ドラム１の回転中心に略傾斜方向に回転軸３を設け、回転ドラム１の軸心方向を正面側から背面側に向けて下向きに傾斜させて配設しているが、回転ドラム１の回転中心に略水平方向に回転軸３を設け、回転ドラム１の軸心方向を略水平方向に配設してもよい。
【００１９】
洗濯機本体６下方には制御手段１３を、上方前面部には入力設定・表示手段１４を配設する。
【００２０】
制御手段１３は、入力設定・表示手段１４からの情報をもとに、運転が開始されると、モータ４、排水手段１０、給水手段１１、水位検知手段１２、などの動作を制御し、洗濯、すすぎ、脱水等の運転を行う。
【００２１】
また、制御手段１３は、記憶手段１５を有しており、運転途中の排水に要した時間や回数等を記憶させている。
【００２２】
以上のように構成された洗濯機について、以下その動作、作用を説明する。
【００２３】
蓋体５を開け、洗濯物を回転ドラム１に投入し、蓋体５を閉めた後、入力設定・表示手段１４により行程内容を設定し、運転を開始する。制御手段１３は、洗濯物の量に応じて、最適な水位を設定し、給水手段１１を制御して、回転ドラム１内および水受け槽２内に給水を行なう。そして、水位検知手段１２によって水位を検知し、設定された水位に達したら、給水を終了し、モータ４を制御し、回転ドラム１を回転させ、洗濯行程を行なう。
【００２４】
洗濯行程終了後、排水手段１０を制御して洗濯水を排水する。このとき、洗濯水がリント回収手段９を通ることでリントが回収される。すすぎ行程途中や脱水行程前の排水においても同様である。そして、これらの排水に要した時間と回数を、各水量ごとに記憶手段１５に記憶させていく。
【００２５】
図２は、ある水量における排水回数と排水時間との関係を示した特性図である。排水時間とは、排水開始からリセット水位に達するまでの時間のことである。リセット水位に達した後、衣類から染み出してくる水量は含まない。排水回数とは、各水量ごとにカウントされる排水の回数である。図２に示すように、洗濯機設置直後からの排水５回分の排水時間を記憶し、排水時間の平均値を求める。その平均値に＋αした値をしきい値とする。＋αする値については、水量ごとに実験的に求めておく。なお、製品に合わせて＋αする値
は、異なることがある。このように工場出荷時にしきい値を記憶させる方法ではなく、記憶手段１５を用いてしきい値を算出することで、製品のばらつきや各家庭の設置（排水）環境に応じた最適なしきい値を設定することができる。また、一律の同じしきい値で判定するわけではないので、誤検知の可能性も低減することができる。しきい値算出後、制御手段１３は、排水に要した時間と回数を、各水量ごとに記憶手段１５に記憶させていきながらモニターし、しきい値時間を越える排水時間が３回連続して発生した場合、リント回収手段９にリントが溜まっていることによる排水異常と判断し、入力設定・表示手段１４を介して、リント回収手段９の掃除を促す報知を行う。
【００２６】
なお、排水回数は、中間脱水前の排水を回数に含めても含めなくてもよい。また、リント詰まりの報知をするタイミングについても、しきい値を連続３回超えるか否かだけの仕様に限るものではない。例えば、連続３回ではなく累計３回でも良いし、常に排水回数５回分の排水時間の移動平均を算出し、移動平均値としきい値を比較し、連続５回しきい値を超えたら報知するなど、各製品の状態に合わせた最適な検知仕様とすれば良い。
【００２７】
このように、各水量ごとの排水に要した時間や、排水の回数等を記憶し、記憶した情報から、水量に合わせた排水時間のしきい値を算出し、算出したしきい値時間を越えた排水時間の回数が一定回数以上続いた場合、リント回収手段にリントが溜まっていることによる排水異常と判断し、リント回収手段の掃除を促す報知を行うことで、誤検知の可能性を低減し、排水異常の原因を容易に特定でき、且つ、リント回収手段を掃除することで容易に排水異常の原因を取り除くことができ、検知精度と使い勝手を向上させることができる。
【産業上の利用可能性】
【００２８】
以上のように、本発明にかかる洗濯機は、各水量ごとの排水に要した時間や、排水の回数等を記憶し、記憶した情報から、水量に合わせた排水時間のしきい値を算出し、算出したしきい値時間を越えた排水時間の回数が一定回数以上続いた場合、リント回収手段にリントが溜まっていることによる排水異常と判断し、リント回収手段の掃除を促す報知を行うことで、誤検知の可能性を低減し、排水異常の原因を容易に特定でき、且つ、リント回収手段を掃除することで容易に排水異常の原因を取り除くことができ、検知精度と使い勝手を向上させることができるので、乾燥機能のついた洗濯乾燥機等にも利用可能である。
【図面の簡単な説明】
【００２９】
【図１】本発明の実施の形態１における洗濯機の断面図
【図２】同洗濯機の排水回数と排水時間との関係を示した特性図
【図３】従来の洗濯機の断面図
【符号の説明】
【００３０】
１  回転ドラム
２  水受け槽
３  回転軸
４  モータ
９  リント回収手段
１０  排水手段
１１  給水手段
１２  水位検知手段
１３  制御手段
１４  入力設定・表示手段
１５  記憶手段
【図２】
2009273544.tif 000003
【図１】
2009273544.tif 000004
【図３】
2009273544.tif 000005